(57)【特許請求の範囲】
【請求項１】
標準器を用いて校正が行われる測定装置において、
校正動作を制御するホストＰＣにおいて取得された、各々のレンジにおける前記標準器の発生値が文字列で記述された校正データファイルと、
この校正データファイルをＦＴＰまたはＵＳＢメモリを使用して前記ホストＰＣから読み込んで、当該ファイルに記述されている文字列を数値に変換して、その数値を使って校正値を算出するファイル変換手段と、
前記ファイル変換手段によって算出された校正値を用いて校正を行う調整・校正手段と
備えたことを特徴とする測定装置。
【請求項２】
前記校正データファイルを保存する記憶手段を備えたことを特徴とする請求項１記載の測定装置。
【請求項３】
標準器を用いて測定装置を校正する測定装置の校正方法において、
校正動作を制御するホストＰＣにおいて校正データファイルとして各々のレンジにおける前記標準器の発生値を取得し、
ファイル変換手段が、この校正データファイルをＦＴＰまたはＵＳＢメモリを使用して前記ホストＰＣから読み込んで、当該ファイルに記述されている文字列を数値に変換して、その数値を使って校正値を算出し、
調整・校正手段が、前記ファイル変換手段によって算出された校正値を用いて校正する
ことを特徴とする測定装置の校正方法。
【発明の詳細な説明】
【技術分野】
【０００１】
本発明は、通信プログラムの作成・修正に関する知識がなくても校正を行うことができる測定装置、測定装置の調整又は校正方法、及び校正システムに関し、特にＧＰＩＢコマンドに関する知識が無くても校正をすることができる測定装置、測定装置の調整又は校正方法、及び校正システムに関する。
【背景技術】
【０００２】
一般に、測定装置は電圧、電流等の各種の物理量を測定するために、メーカーや各種研究機関や官公庁等など、多方面で広く用いられている。
【０００３】
また、これらの測定装置の測定性能は、時間の経過に伴って所定のメーカーの保証仕様範囲から外れる方向に低下していく。そこで、測定装置の現在の性能が所定の設定仕様範囲内に収まっているか否かを確認するために、それぞれの国家または国際標準にトレーサビリティのある各種の標準器の出力値による定期的な調整・校正作業が行なわれている。このような測定装置の校正に関連する先行技術文献には次のようなものがある。
【０００４】
【特許文献１】特開２００３−９１６０５号公報
【０００５】
ところで、標準器を用いて測定装置の校正を行なうためには、ＧＰＩＢ（General Purpose Interface Bus）コマンドで記述したプログラムを使用して校正する方法がある。以下、図４を用いてＧＰＩＢコマンドを使用した校正方法を説明する。
【０００６】
図４において、校正システム２０は、測定装置１、ホストＰＣ２、標準器３、測定用ケーブル４、制御用通信ケーブル５から構成されている。測定装置１は、図示しない被測定対象の電圧値等を測定する。ホストＰＣ２は、テキストエディタ２ａ（文字入力手段）がインストールされており、ＧＰＩＢコマンドを出力しデジタル測定器２及び標準器３に校正の指示を与える。
【０００７】
標準器３は校正管理され、その出力値は国家標準・国際標準につながる経路（トレーサビリティ）が確立されている。測定装置１は、そのトレーサビリティが確立されている測定値又は発生値（以下、「標準出力値」という）と対比され校正される。測定用ケーブル４は、測定装置１と標準器３を接続する。制御用通信ケーブル５は、測定装置１及び標準器３をホストＰＣ２に接続する。
【０００８】
次に、このような校正システム２０の校正動作を図５のフローチャートを参照して説明する。まず、あらかじめ図４の様に機器類を接続する。ホストＰＣ２は、プログラムを実行してＧＰＩＢコマンドを出力し、標準器３の設定を行なう（ステップ１）。ここで設定とは、例えば電圧測定装置を調整する場合には標準器３の電圧値を１０．０００Ｖにすることをいう。
【０００９】
ホストＰＣ２は、同様にＧＰＩＢコマンドを出力して測定装置１の設定を行なう（ステップ２）。すなわち、測定レンジ等を設定して標準器３の電圧値を測定できる状態とする。
【００１０】
ホストＰＣ２は、測定装置１の測定値を読み取る（ステップ３）。ホストＰＣ２は、標準器３の設定値と測定装置１の読み値を比較して測定装置１の調整・校正を実行する（ステップ４）。
【００１１】
なお、測定装置の種類によっては、パネルキー３ａを用いて校正を行うことができる場合がある。この様な測定装置の場合には、上述したＧＰＩＢコマンドを利用した校正動作を、パネルキー３ａを用いて行っても差し支えない。
【００１２】
ＧＰＩＢは元々測定装置を接続するのに用いられるバス規格なので、このようなＧＰＩＢコマンドを使用した測定装置の校正は広く活用されている。
【発明の開示】
【発明が解決しようとする課題】
【００１３】
しかし、ＧＰＩＢコマンド入力による校正方法は操作が複雑であり、コマンドが各標準器に対して固有であるため標準器の種類が変わればＧＰＩＢコマンドのプログラムを修正する必要がある。
【００１４】
また、パネルキーを用いて校正を行うことができる測定装置の場合には、ＧＰＩＢコマンドの知識は不要であるが、パネルキーの押し間違え等の人為的ミスにより校正を正しく行えない場合がある。
【００１５】
本発明は、これらの問題に着目したものであり、その目的は、通信プログラムの作成・修正に関する知識がなくても校正を行うことができる測定装置、測定装置の調整又は校正方法及び校正システムを提供することである。
【課題を解決するための手段】
【００１６】
このような課題を達成するために、本発明のうち請求項１記載の測定装置は、
標準器を用いて校正が行われる測定装置において、
校正動作を制御するホストＰＣにおいて取得された、各々のレンジにおける前記標準器の発生値が文字列で記述された校正データファイルと、
この校正データファイルをＦＴＰまたはＵＳＢメモリを使用して前記ホストＰＣから読み込んで、当該ファイルに記述されている文字列を数値に変換して、その数値を使って校正値を算出するファイル変換手段と、
前記ファイル変換手段によって算出された校正値を用いて校正を行う調整・校正手段と
備えた。
【００１７】
また、請求項２記載の発明は、請求項１記載の測定装置において、
前記校正データファイルを保存する記憶手段を備える。
【００１８】
また、請求項３記載の測定装置の校正方法は、
標準器を用いて測定装置を校正する測定装置の校正方法において、
校正動作を制御するホストＰＣにおいて校正データファイルとして各々のレンジにおける前記標準器の発生値を取得し、
ファイル変換手段が、この校正データファイルをＦＴＰまたはＵＳＢメモリを使用して前記ホストＰＣから読み込んで、当該ファイルに記述されている文字列を数値に変換して、その数値を使って校正値を算出し、
調整・校正手段が、前記ファイル変換手段によって算出された校正値を用いて校正する。
【発明の効果】
【００２０】
本発明によれば、次のような効果がある。文字入力手段で記述された文字列からなる標準器の標準出力値を、数値に変換することで調整値又は校正値を算出するファイル変換手段を備えたので、通信プログラムの作成・修正に関する知識がなくても校正を行うことができる。また、ファイル変換手段によって算出された調整値又は校正値を記憶する記憶手段を備えたので、経年変化のトレンドを把握することができる。
【発明を実施するための最良の形態】
【００２１】
以下、図面を用いて本発明の実施形態を説明する。図１は本発明による測定装置、測定装置の調整又は校正方法、及び校正システムの一実施例を示した構成図である。
【００２２】
図１において、校正システム３０は、ホストＰＣ２、標準器３、測定用ケーブル４、制御用通信ケーブル５、測定装置１０から構成されている。ホストＰＣ２、標準器３、測定用ケーブル４、制御用ケーブル５は図４と同様なので説明を省略する。
【００２３】
測定装置１０は、ファイル変換手段１１、調整・校正手段１２、記憶手段１３を備え、図示しない被測定対象の電圧値等を測定する。ファイル変換手段１１は、アスキー文字列で記述されたプログラムの「校正データファイル」を数値に変換し、その数値を使って調整値を計算する。ここで「校正データファイル」は、例えば図２（ａ）のような校正データ書式を有しており、具体例としては図２（ｂ）の様な測定値をアスキー文字列として記述したものが挙げられる。
【００２４】
図２において、例えば第一行目では、２００ｍＶレンジでの電圧測定値として０．１８２９７Ｖ（１８２．９７ｍＶ）の測定値がアスキー文字列で入力されている。第二行目以降についても各々のレンジにおける測定値がアスキー文字の文字列で入力されている。
【００２５】
なお、このアスキー文字列は、ホストＰＣ２に標準的にインストールされているテキストエディタ２ａで入力されるが、他のパーソナルコンピュータのテキストエディタを使用してアスキー文字列を記述しても差し支えない。
【００２６】
調整・校正手段１２は、ファイル変換手段１１によって算出された調整値に基づいて測定装置１０の調整・校正を行う。記憶手段１３はメモリであり、校正データファイルを記憶する。
【００２７】
次に、このような校正システム３０の校正動作を図３のフローチャートを参照して説明する。まず、あらかじめ図１の様に機器類を接続し、標準器３の測定値、若しくは発生値を校正データとして取得する（ステップ１）。
【００２８】
ホストＰＣ２にインストールされているテキストエディタなどのツールを使用して、校正データファイルに、図２（ｂ）の様に測定値、若しくは発生値をアスキー文字の文字列で記述する（ステップ２）。すなわち、アスキー文字の文字列で記述するので、ＧＰＩＢに関する専門知識は必要とされない。
【００２９】
ホストＰＣ２から測定装置１０に校正データファイルを転送する（ステップ３）。転送する際は、ＦＴＰ（File Transfer Protocol）や、ＵＳＢ（Universal Serial Bus）メモリを使用する。
【００３０】
測定装置１０は、校正データファイルを記憶手段１３に記憶する（ステップ４）。ファイル変換手段１１は、校正データファイルを読み込んで、当該ファイルに記述されている文字列を数値に変換して、その数値を使って校正値を算出する（ステップ５）。調整・校正手段１２は、調整・校正を行う（ステップ６）。この校正データファイルは記憶手段１３に保存される（ステップ７）。
【００３１】
このように、ホストＰＣ２のテキストエディタ２ａで記述された文字列からなる標準器３の標準出力値を、数値に変換することで調整値又は校正値を算出するファイル変換手段１１を備えたので、通信プログラムの作成・修正に関する知識がなくても校正を行うことができる。また、ファイル変換手段１１によって算出された調整値又は校正値を記憶する記憶手段１３を備えたので、経年変化のトレンドを把握することができる。
【図面の簡単な説明】
【００３２】
【図１】本発明の測定装置、測定装置の調整又は校正方法、及び校正システムの構成図である。
【図２】（ａ）は校正データ書式例の説明図であり、（ｂ）は（ａ）の書式例を使用して測定値をアスキー文字列として記述した具体例である。
【図３】本発明の校正フローチャートである。
【図４】従来の校正システムの構成図である。
【図５】従来の校正フローチャートである。
【符号の説明】
【００３３】
２          ホストＰＣ
２ａ        テキストエディタ
３          標準器
１０        測定装置
１１        ファイル変換手段
１２        調整・校正手段
１３        記憶手段
３０      校正システム
【図１】
0004775704.tif 000002
【図２】
0004775704.tif 000003
【図３】
0004775704.tif 000004
【図４】
0004775704.tif 000005
【図５】
0004775704.tif 000006